(57)【要約】【課題】本発明は、視聴途中から見られなくなった放送番組や、見たかった放送番組をタイマー予約等の操作をテレビ視聴者がすることなく自動的に記録することができる記録機能付テレビの提供を目的としている。【解決手段】本発明は、テレビ放送の映像及び音声を含む受信情報を記録可能な記録媒体１０７と、テレビ視聴者の目線を検出する目線検出部１０９とを有するものであり、テレビ視聴中に、上記目線検出部１０９によってテレビ視聴者の目線が所定の判定期間にわたり検出されているか否かを判定する目線検出判定手段１０３ａと、この目線検出判定手段１０３ａによって、テレビ視聴者の目線が上記所定の判定期間にわたり検出されていないと判定されたときには、上記受信情報の記録媒体１０７への記録を開始する記録開始手段１０３ｂとを設けたものである。【選択図】  図１
2004363800.tif 000002
【特許請求の範囲】
【請求項１】
テレビ放送の映像及び音声を含む受信情報を記録可能な記録媒体と、テレビ視聴者の目線を検出する目線検出部とを有する記録機能付テレビであって、
テレビ視聴中に、上記目線検出部によってテレビ視聴者の目線が判定期間にわたり検出されているか否かを判定する目線検出判定手段と、
この目線検出判定手段によって、テレビ視聴者の目線が上記所定の判定期間にわたり検出されていないと判定されたときには、上記受信情報の記録媒体への記録を開始する記録開始手段とを設けたことを特徴とする記録機能付テレビ。
【請求項２】
目線検出判定手段による判定を開始させるための判定開始ボタンを設けていることを特徴とする請求項１記載の記録機能付テレビ。
【請求項３】
上記判定期間を手動操作によって設定可能な判定期間設定手段を設けていることを特徴とする請求項１又は２に記載の記録機能付テレビ。
【請求項４】
テレビ放送の映像及び音声を含む受信情報を記録するための最長記録時間を手動操作によって設定可能な記録時間設定手段を設けていることを特徴とする請求項１，２又は３に記載の記録機能付テレビ。
【請求項５】
判定期間と最長記録時間の各デフォルト値を記憶したデフォルト値記憶部と、判定期間と最長記録時間とが手動によって設定されたか否かを判定する手動操作判定手段とが設けられており、その手動操作判定手段によって、手動操作がされないと判定されたときには、判定期間と最長記録時間とをそれらのデフォルト値に設定することを特徴とする請求項１，２，３又は４に記載の記録機能付テレビ。
【請求項６】
記録媒体に一時的に記録されているテレビ放送の映像及び音声を含む受信情報に係る記録ファイルの保存又は消去を選択するファイル保存選択手段を設けたことを特徴とする請求項１，２，３，４又は５に記載の記録機能付テレビ。
【請求項７】
黒目があるべき位置を設定する黒目位置設定部を設けたことを特徴とする請求項１，２，３，４，５又は６に記載の記録機能付テレビ。
【請求項８】
黒目と判定するための基準画像を設定する黒目判定部を設けたことを特徴とする請求項１，２，３，４，５，６又は７に記載の記録機能付テレビ。
【発明の詳細な説明】
【０００１】
【発明の属する技術分野】
本発明は所謂テレビに関するものであり、特にテレビ放送の映像及び音声を含む受信情報を記録可能な記録機能付テレビに関する。
【０００２】
【従来の技術】
従来、この種の記録機能付テレビにおいて、テレビ視聴者（以下、「視聴者」という。）が放送番組を記録しようとすると、テレビ視聴中に記録ボタンを操作して記録する必要がある。
【０００３】
また、下記の特許文献１には、視聴者が見ていなくても、タイマーによって予め設定した時刻から放送番組の記録を開始する手段が開示されている。
【０００４】
【特許文献１】
特開昭５８−２１５５８３号公報
【発明が解決しようとする課題】
しかしながら、テレビ視聴中に記録ボタンを操作した場合、視聴者が放送番組を視聴しているにも関わらず、その視聴中の映像等も同時に記録してしまうために記録媒体の容量が無駄に費やされてしまう。
【０００５】
また、上記記録ボタンの操作をし忘れた場合やテレビ視聴中に寝てしまった場合には、視聴者が本当に記録したい放送番組の記録ができないという問題もある。
【０００６】
これに対し、上記特許文献１に記載の発明では、タイマーを用いて記録開始時刻を予め設定しておけるので、視聴者が見ていない放送番組を予約して記録することができるものの、例えばタイマー予約をしないままテレビ視聴中に視聴者が寝てしまったような場合は、視聴者が実際には見ていない放映部分や見たかった放送番組を記録できないという問題がある。
【０００７】
そこで本発明は、視聴途中から見られなくなった放送番組や、見ようとしていた放送番組をタイマー予約等の操作を視聴者がすることなく自動的に記録することができる記録機能付テレビを提供するものである。
【０００８】
【課題を解決するための手段】
上記目的を達成するための発明は、テレビ放送の映像及び音声を含む受信情報を記録可能な記録媒体と、テレビ視聴者の目線を検出する目線検出部とを有するものであり、テレビ視聴中に、上記目線検出部によって視聴者の目線が所定の判定期間にわたり検出されているか否かを判定する目線検出判定手段と、この目線検出判定手段によって、テレビ視聴者の目線が上記所定の判定期間にわたり検出されていないと判定されたときには、上記受信情報の記録媒体への記録を開始する記録開始手段とを設けたことを特徴としている。
【０００９】
上記においては、目線検出判定手段による判定を開始させるための判定開始ボタンを設けた構成にすることができる。
【００１０】
また、上記判定期間を手動操作によって設定可能な判定期間設定手段を設けた構成にすることが好ましい。
【００１１】
テレビ放送の映像及び音声を含む受信情報を記録するための最長記録時間を手動操作によって設定可能な記録時間設定手段を設けた構成にするとよい。
【００１２】
判定期間と最長記録時間の各デフォルト値を記憶したデフォルト値記憶部と、判定期間と最長記録時間とが手動によって設定されたか否かを判定する手動操作判定手段とを設けた構成することができ、その手動操作判定手段によって、手動操作がされないと判定されたときには、判定期間と最長記録時間とをそれらのデフォルト値に設定する。
【００１３】
記録媒体に一時的に記録されているテレビ放送の映像及び音声を含む受信情報に係る記録ファイルの保存又は消去を選択するファイル保存選択手段を設けた構成にすることができる。
【００１４】
黒目があるべき位置を設定する黒目位置設定部を設けた構成にすることができる。
【００１５】
黒目と判定するための基準画像を設定する黒目判定部を設けた構成にすることができる。
【００１６】
【発明の実施の形態】
本発明の一実施形態について、図面を参照して以下に説明する。図１は、一実施形態に係る本発明記録機能付テレビの構成を示すブロック図、図２は、目線検出部の構成を示すブロック図である。
【００１７】
一実施形態に係る本発明記録機能付テレビは、テレビ放送を受信する電波受信部１０１、そのテレビ放送の映像及び音声を含む受信情報（以下、「受信情報」という。）を処理する信号処理部１０２、制御中枢となる制御部１０３、ＲＡＭ（Ｒａｎｄａｍ  ａｃｃｅｓｓ  Ｍｅｍｏｒｙ）等からなるメモリ１０５、このメモリ１０５に対するダイレクトメモリコントロールを司るＤＭＡコントローラ１０４、所定の形式で映像（画像）を圧縮・伸長する画像圧縮伸長部１０６、例えばハードディスク等からなる記録媒体１０７、ディスプレイ１０８とともに、詳細を後述する目線検出部１０９、判定開始ボタン１１０、時間設定部１１１、デフォルト値記憶部１１２及びファイル保存ボタン１１３を有して構成されている。
【００１８】
目線検出部１０９は、視聴者の目線を検出する機能を有しているものであり、図２に示すように、視聴者の目線を撮影するＣＣＤ（ｃｈａｒｇｅ  ｃｏｕｐｌｅｄ  ｄｅｖｉｃｅ），ＡＧＣ（ａｕｔｏｍａｔｉｃ  ｇａｉｎ  ｃｏｎｔｒｏｌ）等を有して構成された撮影部６０１、ＹＵＶ信号を生成する信号処理部６０２、この信号処理部６０２から出力されたＹＵＶ信号に基づいて目線を判定する目線判定部６０３とともに、下記の黒目位置設定部６０４及び黒目判定部６０５を有して構成されている。
なお、上記のＹＵＶ信号は、カラー画像の色を表現する方式（色空間方式）の一つであり、ＹＣｒＣｂ又はＹＣｂＣｒとも呼ばれ、ＣＣＩＲ６０１−１という規格で定義されているものである。
【００１９】
黒目位置設定部６０４は、黒目があるべき位置を設定する機能を有しているものであり、ディスプレイ１０８に表示された視聴者の目が、当該ディスプレイ１０８に表示された黒目枠内に入るように、その黒目枠の大きさ，位置を設定するようになっている。
【００２０】
黒目判定部６０５は、黒目と判定するための基準画像を設定する機能を有するものであり、その基準画像は、どの程度のエリアの黒の周りにどの程度のエリアの白があるような部分を「黒目」と判定するか否かの基準となるものである。
【００２１】
時間設定部１１１は、視聴者の目線の検出を判定するための判定期間とともに、１つの記録ファイル当りの最長記録時間を設定するためのものであり、それら各時間を入力するための操作ボタン（図示しない）等が配設されているものである。
【００２２】
「判定期間」は、例えば数秒間，数分間，数十分間等の時間のことであるが、これらの時間に限らず長短設定できることは勿論である。なお、以下判定期間を判定時間という。なお、判定時間は時間閾値と同義である。
「１つの記録ファイル」とは、記録媒体１０７に記録された上記受信情報のことであり、「最長記録時間」とは、その１つの記録ファイル当りの最長の記録時間のことである。
【００２３】
デフォルト値記憶部１１２は、判定時間や１つの記録ファイル当りの最長記録時間を視聴者が設定しなかったときに参照される、それら判定時間及び最長記録時間の各デフォルト値が記憶されているものである。
【００２４】
ファイル保存ボタン１１３は、記録媒体１０７に一時的に記録保存している１つ以上の受信情報に係る記録ファイルを残すか否かを選択するためのものである。
【００２５】
制御部１０３は、所定の制御プログラムに従って本装置各部の制御機能を有する命令処理部であるＣＰＵ（Ｃｅｎｔｒａｌ  Ｐｒｏｃｅｓｓｉｎｇ  Ｕｎｉｔ）や、クロック信号を生成する発振回路（図示しない）等を有して構成されているものであり、本実施形態においては、この制御部１０３自体若しくはこれに接続されている周辺機器等とともに、次の機能（手段）を有している。
【００２６】
（１）  テレビ視聴中に、目線検出部１０９によって視聴者の目線が判定時間にわたり検出されているか否かを判定する機能（目線検出判定手段１０３ａ）。
この目線検出判定手段１０３ａは、判定開始ボタン１１０のＯＮ操作によって判定を開始するようになっている。
この目線検出判定手段１０３ａによる判定が開始された状態を「記録準備状態」という。
【００２７】
（２）  目線検出判定手段１０３ａによって、視聴者の目線が上記の判定時間にわたり検出されていないと判定されたときには、上記受信情報の記録媒体１０７への記録を開始する機能（記録開始手段１０３ｂ）。
【００２８】
（３）  上記した判定時間を手動操作によって設定する判定期間設定手段（１００）。この判定期間設定手段１００は、本実施形態においては、時間設定部１１１と制御部１０３とにより構成されている。
【００２９】
（４）  テレビ放送の映像及び音声を含む受信情報を記録するための最長記録時間を手動操作によって設定する機能（記録時間設定手段１１４）。
この記録時間設定手段１１４は、時間設定部１１１と制御部１０３とにより構成されている。
【００３０】
（５）  判定時間と最長記録時間とが手動によって設定されたか否かを判定する機能（手動操作判定手段１０３ｃ）。
具体的には、時間設定部１１１を手動操作することによって判定時間と最長記録時間が設定されたか否かを判定している。
この手動操作判定手段１０３ｃによって、手動操作がされないと判定されたときには、判定時間と最長記録時間とをそれらのデフォルト値に設定するようになっている。
【００３１】
（６）  記録媒体に一時的に記録されているテレビ放送の映像及び音声を含む受信情報に係る記録ファイルの保存又は消去を選択する機能（ファイル保存選択手段１１５）。
このファイル保存選択手段１１５は、本実施形態においては、ファイル保存ボタン１１３と制御部１０３により構成している。
【００３２】
テレビ放送の映像及び音声を含む受信情報の記録を開始する前の動作について、図３を参照して説明する。図３は、テレビ放送の映像及び音声を含む受信情報の記録を開始する前の動作を示すフローチャートである。
【００３３】
ステップＳ１（図３において「Ｓ１」と略記する。以下同様）：上記した判定時間（時間閾値）や１つの記録ファイル当りの最長記録時間を設定するか否かを視聴者（他の者を含む。）が手動で設定する。ここで、それら判定時間及び最長記録時間を手動で設定する場合にはステップＳ２に進み、それらを設定しない場合にはステップＳ４に進む。
【００３４】
ステップＳ２：視聴者が時間設定部１１１を操作して判定時間を設定すると、ステップＳ３に進む。
【００３５】
ステップＳ３：視聴者（他の者を含む。）が時間設定部１０１を操作して最長記録時間を設定すると設定が終了する。
【００３６】
ステップＳ４：デフォルト値記憶部１１２にデフォルト値として記憶されている判定時間及び最長記録時間を、判定時間，最長記録時間に設定する。
すなわち、視聴者（他の者を含む。）が判定時間や最長記録時間を手動により任意に設定でき、また、それらの時間を手動で設定しない場合には、それらの時間として予め設定したデフォルト値を使用でき、それらの設定操作を容易に行なうことができる。
【００３７】
次に、テレビ視聴前の動作について、図４を参照して説明する。図４は、テレビ視聴前の動作を示すフローチャートである。
ステップТ１（図４において「Т１」と略記する。以下同様）：テレビの上等に、撮影部６０１を、これにより視聴者の眼の映像が撮影できるように設置する。
【００３８】
ステップТ２：撮影部６０１から入力された映像信号を信号処理部６０２で信号処理し、ディスプレイ１０８に表示する。同時に、眼の黒目位置を判定するための黒目枠を、ディスプレイ１０８上にＯＳＤ（オンスクリーンディスプレイ）表示する。
【００３９】
ステップТ３：ここで視聴者は、ディスプレイ１０８に表示された自分の眼が黒目枠内に入るように、黒目位置設定部６０４を用いて黒目枠の大きさ，位置を設定する。
【００４０】
ステップТ４：黒目判定部６０５によって、どの程度のエリアの黒の周りにどの程度のエリアの白があるような部分を「黒目」と判定するのかを設定する。
【００４１】
次に、テレビ視聴中の動作について、図５を参照して説明する。図５は、テレビ視聴中の動作を示すフローチャートである。
ステップＵ１（図５においては「Ｕ１」と略記する。以下同様）：テレビ視聴中は、ディスプレイ１０８に視聴者の姿は表示されないが、信号処理部６０２で処理された映像信号と予め設定した黒目枠の大きさ，位置が目線判定部６０３に送信される。
【００４２】
ステップＵ２：目線判定部６０３では、予め設定した「黒目」が黒目枠の内部にあるか否かを判定し、あると判定した場合にはステップＵ３に進み、ないと判定した場合にはステップＵ４に進む。
【００４３】
ステップＵ３：目線信号をＯＮして制御部１０３に送り、ステップＵ１に戻る。ここで、「目線信号をＯＮ」とは、目線を検出していることを示す信号である。
【００４４】
ステップＵ４：目線信号をＯＦＦして制御部１０３に送り、ステップＵ１に戻る。ここで、「目線信号をＯＦＦ」とは、目線信号を送出しないことであるが、目線を検出していないことを示す信号を出力するようにしてもよい。
【００４５】
次に、視聴者の目線が検出されなくなるまでの動作について、図６を参照して説明する。図６は、視聴者の目線が検出されなくなるまでの動作を示すフローチャートである。
ステップＶ１（図６においては「Ｖ１」と略記する。以下同様）：テレビを視聴しているときには、記録媒体１０７には何も記録されず、電波受信部１０１から受信したテレビ放送の受信情報に含まれる映像をディスプレイ１０８に表示するとともに、音声を図示しないスピーカ等によって出力させる。なお、図中に記載されている「通常状態」とは、受信情報の記録をすることなくテレビ放送を視聴していることをいう。
【００４６】
ステップＶ２：次に、視聴者が見逃したくない放送番組を視聴中に寝てしまうような場合や席を外す可能性があるような場合等には、判定開始ボタン１１０をＯＮ操作する。これにより、目線検出判定手段１０３ａによる判定が開始される。
【００４７】
ステップＶ３：目線検出判定手段１０３ａによる判定が開始された状態である記録準備状態になると、制御部１０３は目線検出部１０９からの目線信号がＯＦＦになるのを待機し、ここで目線信号のＯＦＦを検出すれば、ステップＶ４に進む。なお、この間にもディスプレイ１０８にテレビ映像が表示されるとともに音声が出力される。
【００４８】
ステップＶ４：目線検出判定手段１０３ａとしての制御部１０３が、目線信号がＯＦＦになったことを検知すると記録動作を開始する。
電波受信部１０１からの映像信号は、信号処理部１０２で信号処理されてメモリ１０５に一旦記憶される。さらに、記憶された映像信号は、ＤＭＡコントローラ１０４を介して画像圧縮伸張部１０６に読み出されて圧縮処理される。
【００４９】
圧縮されたデータは、一旦メモリ１０５に記憶された後、制御部１０３により所定のフォーマットに従ってヘッダー情報を付された後に、記録媒体１０７に記録される。この間もディスプレイ１０８にはテレビ映像が表示される。
【００５０】
次に、視聴者の目線が戻った場合の動作について、図７を参照して説明する。図７は、視聴者の目線が戻った場合の動作を示すフローチャートである。
ステップＷ１（図７においては「Ｗ１」と略記する。以下同様）：目線検出判定手段１０３ａである制御部１０３によって目線信号を検出したか否かを判定し、ここで目線信号を検出すればステップＷ２に進み、そうでなければその判定動作を継続する。
【００５１】
ステップＷ２：記録を開始してからの時間が判定時間よりも長いか否かを判定し、記録を開始してからの時間が判定時間よりも長い場合には、ステップＷ４に進み、そうでなければステップＷ３に進む。
【００５２】
ステップＷ３：視聴者（他の者を含む。）がファイル保存ボタン１１３をＯＮ操作したか否かを判定し、ここでファイル保存ボタン１１３をＯＮ操作したと判定されればステップＷ４に進み、ファイル保存ボタン１１３をＯＮ操作しなければステップＷ５に進む。
【００５３】
ステップＷ４：これまで記録媒体１０７に一時的に保存している記録ファイルを消去せずにステップＷ６に進んで記録動作を終了する。
【００５４】
ステップＷ５：視聴者（他の者を含む。）がファイル保存ボタン１１３をＯＮ操作しない場合は、記録媒体１０７に一時的に保存している記録ファイルを削除してステップＷ６に進んで記録動作を終了する。
【００５５】
これにより、視聴者が例えばＣＭ中にトイレに行っている間の映像等、視聴者が目線がなくなることを承知でとった行動によって記録された不必要な記録ファイルによって記録媒体１０７の容量が消費されてしまうことを解消できる。
なお、どの場合も記録動作終了後、普通にテレビ映像を視聴している状態に戻る。
【００５６】
最後に、視聴者の目線がそのまま戻らない場合の動作について、図８を参照して説明する。図８は、視聴者の目線がそのまま戻らない場合の動作を示すフローチャートである。
ステップＸ１（図８において「Ｘ１」と略記する。以下同様）：目線検出判定手段１０３ａである制御部１０３によって目線信号を検出すると、ステップＸ２に進み、そうでなければ記録動作を継続する。
【００５７】
ステップＸ２：視聴者の目線がなくなって記録動作を開始してからの経過時間が、予め設定した記録時間を経過したか否かを判定し、ここでその経過時間が記録時間を超えているか否かを判定し、ここで経過時間が記録時間を超えていればステップＸ３に進み、そうでなければステップＸ１に戻る。
なお、本ステップにおいて「予め設定した記録時間」とは、記録ファイルを消去せずに記録動作を終了するための判定基準となるものである。
【００５８】
ステップＸ３：記録媒体１０７に一時的に保存している記録ファイルを消去せずにステップＸ４に進んで記録動作を終了する。
【００５９】
これによりテレビ視聴中に視聴者が寝てしまったような場合でも、当該視聴者が予め設定した記録時間以上に記録ファイルを残さないので、記録媒体１０７が不必要な記録ファイルで消費されるということがない。
【００６０】
【発明の効果】
本発明によれば、テレビ視聴中に、目線撮影部によって視聴者の目線が判定期間にわたり検出されているか否かを判定し、テレビ視聴者の目線が上記所定の判定期間にわたり検出されないと判定されたときには、受信情報の記録媒体への記録を開始するようになっているので、視聴途中から見られなくなった放送番組や、見ようとしていた放送番組をタイマー予約等の操作を視聴者がすることなく自動的に記録することができる。
【００６１】
本発明で得られる上記共通の効果に加え、下記の各構成にすることにより、次のように個別の効果を得ることができる。
目線検出判定手段による判定を開始させるための判定開始ボタンを設けた構成にすることにより、必要に応じて判定を開始させられる。
【００６２】
判定期間を手動操作によって設定可能な判定期間設定手段を設けた構成にすることにより、判定期間を視聴者の個性や好みに合わせて任意に設定することができる。
【００６３】
テレビ放送の映像及び音声を含む受信情報を記録するための最長記録時間を手動操作によって設定可能な記録時間設定手段を設けた構成にすることにより、そのテレビ放送の記録時間を任意に設定できる。
【００６４】
判定期間と最長記録時間の各デフォルト値を記憶したデフォルト値記憶部と、判定期間と最長記録時間とが手動によって設定されたか否かを判定する手動操作判定手段とが設けられており、その手動操作判定手段によって、手動操作がされないと判定されたときには、判定期間と最長記録時間とをそれらのデフォルト値に設定しているので、面倒な設定操作を省くことができる。
【００６５】
記録媒体に一時的に記録されているテレビ放送の映像及び音声を含む受信情報に係る記録ファイルの保存又は消去を選択するファイル保存選択手段を設けた構成にすることにより、記録媒体の記録容量が余分に消費されることを防ぐことができる。
【００６６】
黒目があるべき位置を設定する黒目位置設定部を設けた構成にすることにより、黒目の位置を正確に検出することができる。
【００６７】
黒目と判定するための基準画像を設定する黒目判定部を設けた構成にすることにより、黒目を正確に判定することができる。
【図面の簡単な説明】
【図１】一実施形態に係る本発明記録機能付テレビの構成を示すブロック図である。
【図２】目線検出部の構成を示すブロック図である。
【図３】テレビ放送の受信情報の記録を開始する前の動作を示すフローチャートである。
【図４】テレビ視聴前の動作を示すフローチャートである。
【図５】テレビ視聴中の動作を示すフローチャートである。
【図６】視聴者の目線が検出されなくなるまでの動作を示すフローチャートである。
【図７】視聴者の目線が戻った場合の動作を示すフローチャートである。
【図８】視聴者の目線がそのまま戻らない場合の動作を示すフローチャートである。
【符号の説明】
１００      判定期間設定手段
１０３ａ    目線検出判定手段
１０３ｂ    記録開始手段
１０３ｃ    手動操作判定手段
１０７      記録媒体
１０９      目線検出部
１１０      判定開始ボタン
１１２      デフォルト値記憶部
１１４      記録時間設定手段
１１５      ファイル保存選択手段
６０４      黒目位置設定部
６０５      黒目判定部
【図１】
2004363800.tif 000003
【図２】
2004363800.tif 000004
【図３】
2004363800.tif 000005
【図４】
2004363800.tif 000006
【図５】
2004363800.tif 000007
【図６】
2004363800.tif 000008
【図７】
2004363800.tif 000009
【図８】
2004363800.tif 000010